(57)【要約】【課題】  遊技盤の上端に遊技球が乗ってしまうことを防止する。【解決手段】  遊技盤１１の前面周縁部には、前面枠１２が装着されている。また遊技盤１１の裏面には、裏セット板１４が取り付けられている。上記遊技球タンク１３には、球供給装置１５から遊技球１６が供給される。前記遊技盤１１の上端１１ａ上方部には、傾斜部１７が設けられている。この傾斜部１７は、前面枠１２に、その上部水平板部１２ａから段部１８を介して一体に形成されている。この傾斜部１７は、前面枠１２の上部水平板部１２ａ側から前記遊技盤１１の上端１１ａを越えて裏セット板１４の上端である水平板部１４ｂ側へ下降傾斜する形態である。【選択図】  図１
2006218023.tif 000002
【特許請求の範囲】
【請求項１】
遊技盤の前面に前面枠を備えると共に、該遊技盤の裏面に裏セット板を備え、該裏セット板の上部に遊技球タンクを備えた遊技機において、
前記前面枠上部側から前記遊技盤上端を越えて裏セット板上端側へ下降傾斜する傾斜部を設けたことを特徴とする遊技機。
【請求項２】
傾斜部は、前面枠又は裏セット板に一体に形成されていることを特徴とする請求項１記載の遊技機。
【請求項３】
傾斜部は、前面枠に一体に形成された第１の傾斜部と、裏セット板に一体に形成された第２の傾斜部とから構成されていることを特徴とする請求項１記載の遊技機。
【請求項４】
前面枠上部と傾斜部との間には傾斜部側から見て高くなる段部があること特徴とする請求項１ないし３のいずれかに記載の遊技機。
【発明の詳細な説明】
【技術分野】
【０００１】
本発明は、遊技盤の前面に前面枠を備えると共に、該遊技盤の裏面に裏セット板を備え、該裏セット板の上部に遊技球タンクを備えた遊技機に関する。
【背景技術】
【０００２】
従来より、遊技機例えばパチンコ機においては、遊技盤の前面に前面枠を備えると共に、該遊技盤の裏面に裏セット板を備え、該裏セット板の上部に遊技球タンクを備えた構成とされている。このものでは、図７に示すように、遊技盤１の前面周縁部に前面枠２が装着され、また遊技盤１の裏面には、遊技球タンク３やタンクレール７や図示しないカーブレールあるいは球払出装置などの機器を取り付けるための裏セット板４が取り付けられている。上記遊技球タンク３には、球供給装置５から遊技球６が供給される。
【０００３】
このものにおいては、前面枠２の上部は、遊技盤１の上端１ａに対して上方へ突出し、また、裏セット板４も該上端１ａから上方へ若干突出する形態である。なお、特許文献１にも同様の構成が記載されている。
【特許文献１】特開平８−２６６７２７号公報（図３）
【発明の開示】
【発明が解決しようとする課題】
【０００４】
ところが、上記従来構成においては、球供給装置５から供給された遊技球６が遊技球タンク３に供給された際に何らかの拍子で跳ね、前記遊技盤１の上端１ａの乗ってしまうことがあった。この上端１ａ部分は前面枠２と裏セット板４とで凹状となっているため、遊技盤１の上端１ａに乗った遊技球６がそこに留まってしまい、店側で、その遊技球６を回収する必要があり、また裏セット板４の開閉時に遊技球６が零れたり挟まったりするおそれがある。
【０００５】
本発明は上述の事情に鑑みてなされたものであり、その目的は、遊技盤の上端に遊技球が乗ってしまうことを防止できる遊技機を提供するにある。
【課題を解決するための手段】
【０００６】
請求項１の発明は、遊技盤の前面に前面枠を備えると共に、該遊技盤の裏面に裏セット板を備え、該裏セット板の上部に遊技球タンクを備えた遊技機において、前記前面枠上部側から前記遊技盤上端を越えて裏セット板上端側へ下降傾斜する傾斜部を設けたところに特徴を有する。これによれば、遊技盤上端側へ遊技球が跳ねたとしても、傾斜部に案内されて遊技球タンクに入るようになり、遊技盤の上端に遊技球が乗ってしまうことを防止できる。
【０００７】
この場合、傾斜部は、前面枠又は裏セット板に一体に形成しても良く（請求項２の発明）、また、傾斜部は、前面枠に一体に形成された第１の傾斜部と、裏セット板に一体に形成された第２の傾斜部とから構成しても良い（請求項３の発明）。この請求項２、３発明によれば、傾斜部を設けるについて部品点数の増加を来たすことがなく、部品管理が容易である。
【０００８】
また、前面枠上部と傾斜部との間に傾斜部側から見て高くなる段部がある構成としても良い（請求項４の発明）。このようにすると、傾斜部から前面枠上部へ遊技球が移動することをこの段部により防止でき、遊技球の移動範囲を規制できる。
【発明の効果】
【０００９】
本発明によれば、遊技盤の上端に遊技球が乗ってしまうことを防止でき、その遊技球を回収する手間をなくし得ると共に、裏セット板の開閉時に遊技球が零れたり挟まったりすることも全くなくなる。
【発明を実施するための最良の形態】
【００１０】
以下本発明の第１の実施例について図１及び図２を参照して説明する。遊技機例えばパチンコ機の遊技盤１１の前面周縁部には、合成樹脂製の前面枠１２が装着されている。この前面枠１２は、遊技店のパチンコ台取付フレームに取り付けられる。また遊技盤１１の裏面には、遊技球タンク１３やタンクレール１９や図示しないカーブレールあるいは球払出装置さらにはその他の機器を取り付けるための裏セット板１４が取り付けられている。この裏セット板１４は合成樹脂製である。上記遊技球タンク１３には、球供給装置１５から遊技球１６が供給される。
【００１１】
前記前面枠１２の上部である上部水平板部１２ａは、前記遊技盤１１の上端１１ａより上方に位置する。また、裏セット板１４の上部の縦板部１４ａは遊技盤１１の裏面より若干離間する形態をなし、この縦板部１４ａから遊技盤１１側に延びる水平板部１４ｂが形成されている。
【００１２】
前記遊技盤１１の上端１１ａ上方部には、傾斜部１７が設けられている。この傾斜部１７は、前面枠１２に、その上部水平板部１２ａから段部１８を介して一体に形成されている。この傾斜部１７は、前面枠１２の上部水平板部１２ａ側から前記遊技盤１１の上端１１ａを越えて裏セット板１４の上端である水平板部１４ｂ側へ下降傾斜する形態である。
【００１３】
上記段部１８は、前面枠１２の上部水平板部１２ａと傾斜部１７との間にあって、傾斜部１７側から見て高くなる形態をなしている。また、前記傾斜部１７の左右端部に立ち上げ部１７ａ、１７ｂが形成されている。
【００１４】
上記構成によれば、遊技盤１１の上端１１ａ側へ遊技球１６が跳ねたとしても、傾斜部１７に案内されて遊技球タンク１３に入るようになり、遊技盤１１の上端１１ａに遊技球１６が乗ってしまうことを防止できる。従って、店側で、その遊技球１６を回収する手間をなくし得ると共に、裏セット板１４の開閉時に遊技球１６が零れたり挟まったりすることも全くなくなる。
【００１５】
また本実施例によれば、傾斜部１７を前面枠１２に一体に形成したので、傾斜部１７を設けるについて部品点数の増加を来たすことがなく、また、部品管理が容易である。
また、傾斜部１７の左右端部に立ち上げ部１７ａ、１７ｂを形成したから、遊技球１６が傾斜部１７の左右端部から落下することを防止できて、遊技球タンク１３へ確実に移動させることができる。
【００１６】
また、前面枠１２の上部水平板部１２ａと傾斜部１７との間に傾斜部１７側から見て高くなる段部１８を設けたから、傾斜部１７から前面枠１２の上部水平板部１２ａへ遊技球１６が移動することを防止でき、遊技球１６の移動範囲を良好に規制できる。
【００１７】
図３は本発明の第２の実施例を示し、この実施例では、傾斜部２１を裏セット板１４に一体に形成し、段部２２を前面枠１２に形成している。この実施例においても、第１の実施例と同様の効果を得ることができる。
【００１８】
図４及び図５は本発明の第３の実施例を示しており、この第３の実施例においては、傾斜部３１を、前面枠１２に一体に形成された第１の傾斜部３１ａと、裏セット板１４に一体に形成された第２の傾斜部３１ｂとから構成している。そして、第２の傾斜部３１ｂが第１の傾斜部３１ａに対して段差Ｌをもって付き合わされたところが異なる。なお、段部３２及び立ち上げ部３３ａ、３３ｂは前面枠１２に形成されている。
【００１９】
この実施例によれば、傾斜部３１が前面枠１２に一体に形成された第１の傾斜部３１ａと、裏セット板１４に一体に形成された第２の傾斜部３１ｂとから構成されているから、傾斜部３１を設けるについて部品点数の増加を来たすことがなく、部品管理が容易である。また、段差Ｌの上下寸法分、製作誤差、或いは組み立て誤差があっても、傾斜部３１としての所期の目的は達成するから、若干の製作誤差及び組立て誤差を許容できて製作性が向上する。
【００２０】
図６は本発明の第４の実施例を示し、この第４の実施例においては、第１の傾斜部３１ａと第２の傾斜部３１ｂはほぼ面一状態に突き合わされている点が第３の実施例と異なる。この第４の実施例によれば、突合せ部での遊技球１６の転がりがスムーズで音発生を防止できる。
【００２１】
なお、本発明は上述した各実施例に限定されず、例えば、傾斜部は別部材により設けるようにしても所期の目的は達成できるものである。その他、本発明は要旨を逸脱しない範囲内で種々変更して実施できる。
【図面の簡単な説明】
【００２２】
【図１】本発明の第１の実施例を示すパチンコ機要部の縦断側面図
【図２】同斜視図
【図３】本発明の第２の実施例を示す図１相当図
【図４】本発明の第３の実施例を示す図１相当図
【図５】第２図相当図
【図６】本発明の第４の実施例を示す図１相当図
【図７】従来例を示す図１相当図
【符号の説明】
【００２３】
図面中、１１は遊技盤、１２は前面枠、１３は遊技球タンク、１４は裏セット板、１６は遊技球、１７は傾斜部、１７ａ、１７ｂは立ち上げ部、１８は段部、２１は傾斜部、２２は段部、３１は傾斜部、３１ａは第１の傾斜部、３１ｂは第２の傾斜部を示す。
【図１】
2006218023.tif 000003
【図２】
2006218023.tif 000004
【図３】
2006218023.tif 000005
【図４】
2006218023.tif 000006
【図５】
2006218023.tif 000007
【図６】
2006218023.tif 000008
【図７】
2006218023.tif 000009